(57)【要約】【課題】操作パネル部で設定変更を行ったユーザーの意図が反映された印刷を実行する画像処理装置を提供する。【解決手段】本発明の画像処理装置は、外部機器からのコマンドを受信する通信部１６０と、所定表示を行うと共にユーザーによる操作に基づくコマンドを受け付ける操作パネル部１５０と、前記通信部からのコマンド、又は前記操作パネル部１５０からのコマンドに基づいて記憶情報の変更を行う設定記憶部１１１と、を有し、前記操作パネル部１５０から前記設定記憶部１１１の記憶情報を変更するコマンドを受け付けた後、前記通信部１６０からのコマンドに基づく前記設定記憶部１１１の記憶情報の変更を行わないことを特徴とする。【選択図】図１
2010184460.tif 000002
【特許請求の範囲】
【請求項１】
外部機器からのコマンドを受信する通信部と、
所定表示を行うと共にユーザーによる操作に基づくコマンドを受け付ける操作パネル部と
、
前記通信部からのコマンド、又は前記操作パネル部からのコマンドに基づいて記憶情報の
変更を行う設定記憶部と、を有し、
前記操作パネル部から前記設定記憶部の記憶情報を変更するコマンドを受け付けた後、前
記通信部からのコマンドに基づく前記設定記憶部の記憶情報の変更を行わないことを特徴
とする画像処理装置。
【請求項２】
前記操作パネル部からの前記設定記憶部の記憶情報を変更するコマンドを受け付けた後、
前記外部機器に対して前記設定記憶部の記憶情報の変更を行わない旨を表示させるコマン
ドを送信することを特徴とする請求項１に記載の画像処理装置。
【請求項３】
前記操作パネル部からの前記設定記憶部の記憶情報を変更するコマンドを受け付けた後、
前記外部機器からのコマンドに基づく前記設定記憶部の記憶情報の変更を行わない旨を表
示することを特徴とする請求項１又は請求項２に記載の画像処理装置。
【請求項４】
前記操作パネル部からの前記設定記憶部の記憶情報を変更するコマンドを受け付けた後、
所定の時間が経過するまで前記通信部からのコマンドに基づく前記設定記憶部の記憶情報
の変更を行わないことを特徴とする請求項１乃至請求項３のいずれか１項に記載の画像処
理装置。
【請求項５】
前記操作パネル部からの前記設定記憶部の記憶情報を変更するコマンドを受け付けた後、
所定の画像処理が終了するまで前記通信部からのコマンドに基づく前記設定記憶部の記憶
情報の変更を行わないことを特徴とする請求項１乃至請求項３のいずれか１項に記載の画
像処理装置。
【請求項６】
前記操作パネル部からの前記設定記憶部の記憶情報を変更するコマンドを受け付けた後、
ユーザーにより設定された画像処理が終了するまで前記通信部からのコマンドに基づく前
記設定記憶部の記憶情報の変更を行わないことを特徴とする請求項１乃至請求項３のいず
れか１項に記載の画像処理装置。
【請求項７】
前記外部機器に対して前記設定記憶部の記憶情報の変更を行わない旨を表示させるコマン
ドに基づいて、前記外部機器はポップアップメッセージを表示することを特徴とする請求
項２乃至請求項６のいずれか１項に記載の画像処理装置。
【請求項８】
前記設定記憶部の記憶情報は、処理する用紙のサイズに係る情報であることを特徴とする
請求項１乃至請求項７のいずれか１項に記載の画像処理装置。
【請求項９】
前記設定記憶部の記憶情報は、用紙を供給する用紙カセットに係る情報であることを特徴
とする請求項１乃至請求項７のいずれか１項に記載の画像処理装置。
【請求項１０】
外部機器からのコマンドを通信部によって受信し、
ユーザーによる操作に基づくコマンドを操作パネル部によって受け付け、
前記通信部からのコマンド、又は前記操作パネル部からのコマンドに基づいて設定記憶部
に記憶される記憶情報の変更を行いう画像処理方法であって、
前記操作パネル部から前記設定記憶部の記憶情報を変更するコマンドを受け付けた後、前
記通信部からのコマンドに基づく前記設定記憶部の記憶情報の変更を行わないことを特徴
とする画像処理方法。
【発明の詳細な説明】
【技術分野】
【０００１】
本発明は、操作パネルやネットワーク接続されたパーソナルコンピュータからのコマン
ドに基づいて、画像形成する用紙サイズなどの設定を変更することができる画像処理装置
及び画像処理方法に関する。
【背景技術】
【０００２】
プリンタやファクシミリ或いはコピー機などの画像処理装置においては、プリントする
ときの用紙サイズや給紙するための用紙カセットなどの設定を、ユーザーが選択し設定す
ることができるように構成される。このような設定は、画像処理装置に設けられる操作パ
ネルから行い得るように構成されるが、さらに近年では、画像処理装置とネットワークな
どを介して接続されるホスト装置からも行い得るように構成されることが一般的となって
きた。例えば、特許文献１（特開２００１−５６２５号公報）には、画像形成装置の所定
の設定値の変更許可を要求する変更許可要求コマンドを所定の入力元から入力する第１入
力手段と、前記入力手段で入力した変更許可要求コマンドに対応して、変更許可データを
前記所定の入力元へ返信する返信手段と、が設けられた画像形成装置が開示されている。
【特許文献１】特開２００１−５６２５号公報
【発明の概要】
【発明が解決しようとする課題】
【０００３】
しかしながら、上記特許文献１に記載されているような画像処理装置においては、最後
に変更を行った設定が反映される、所謂後勝ち方式であるため、画像処理装置の操作パネ
ル部で設定を変更しても、通信可能に接続されているパーソナルコンピュータなどからそ
の後に設定を変更されてしまうと、パネルで設定変更を行ったユーザーがプリントしよう
としてもその意図を反映した印刷を行うことができない、といった事態が発生するなどの
問題があった。
【課題を解決するための手段】
【０００４】
本発明は上記のような問題を解決するために、本発明に係る画像処理装置は、外部機器
からのコマンドを受信する通信部と、所定表示を行うと共にユーザーによる操作に基づく
コマンドを受け付ける操作パネル部と、前記通信部からのコマンド、又は前記操作パネル
部からのコマンドに基づいて記憶情報の変更を行う設定記憶部と、を有し、前記操作パネ
ル部から前記設定記憶部の記憶情報を変更するコマンドを受け付けた後、前記通信部から
のコマンドに基づく前記設定記憶部の記憶情報の変更を行わないことを特徴とする。
【０００５】
また、本発明に係る画像処理装置は、前記操作パネル部からの前記設定記憶部の記憶情
報を変更するコマンドを受け付けた後、前記外部機器に対して前記設定記憶部の記憶情報
の変更を行わない旨を表示させるコマンドを送信することを特徴とする。
【０００６】
また、本発明に係る画像処理装置は、前記操作パネル部からの前記設定記憶部の記憶情
報を変更するコマンドを受け付けた後、前記外部機器からのコマンドに基づく前記設定記
憶部の記憶情報の変更を行わない旨を表示することを特徴とする。
【０００７】
また、本発明に係る画像処理装置は、前記操作パネル部からの前記設定記憶部の記憶情
報を変更するコマンドを受け付けた後、所定の時間が経過するまで前記通信部からのコマ
ンドに基づく前記設定記憶部の記憶情報の変更を行わないことを特徴とする。
【０００８】
また、本発明に係る画像処理装置は、前記操作パネル部からの前記設定記憶部の記憶情
報を変更するコマンドを受け付けた後、所定の画像処理が終了するまで前記通信部からの
コマンドに基づく前記設定記憶部の記憶情報の変更を行わないことを特徴とする。
【０００９】
また、本発明に係る画像処理装置は、前記操作パネル部からの前記設定記憶部の記憶情
報を変更するコマンドを受け付けた後、ユーザーにより設定された画像処理が終了するま
で前記通信部からのコマンドに基づく前記設定記憶部の記憶情報の変更を行わないことを
特徴とする。
【００１０】
また、本発明に係る画像処理装置は、前記外部機器に対して前記設定記憶部の記憶情報
の変更を行わない旨を表示させるコマンドに基づいて、前記外部機器はポップアップメッ
セージを表示することを特徴とする。
【００１１】
また、本発明に係る画像処理装置は、前記設定記憶部の記憶情報は、処理する用紙のサ
イズに係る情報であることを特徴とする。
【００１２】
また、本発明に係る画像処理装置は、前記設定記憶部の記憶情報は、用紙を供給する用
紙カセットに係る情報であることを特徴とする。
【００１３】
また、本発明に係る画像処理方法は、外部機器からのコマンドを通信部によって受信し
、
ユーザーによる操作に基づくコマンドを操作パネル部によって受け付け、
前記通信部からのコマンド、又は前記操作パネル部からのコマンドに基づいて設定記憶部
に記憶される記憶情報の変更を行いう画像処理方法であって、
前記操作パネル部から前記設定記憶部の記憶情報を変更するコマンドを受け付けた後、前
記通信部からのコマンドに基づく前記設定記憶部の記憶情報の変更を行わないことを特徴
とする。
【００１４】
以上、本発明の画像処理装置及び画像処理方法によれば、操作パネル部から設定記憶部
の記憶情報を変更するコマンドを受け付けた後、通信部からのコマンドに基づく設定記憶
部の記憶情報の変更を行わないようにするので、操作パネル部で設定変更を行ったユーザ
ーの意図が反映された印刷等を実行することが可能となる。
【図面の簡単な説明】
【００１５】
【図１】本発明の実施形態に係る画像処理装置（複合機）及びその周辺のシステム構成を示す図である。
【図２】本発明の実施形態に係る画像処理装置の操作パネル部のハードウエア構成を示す図である。
【図３】本発明の実施形態に係る画像処理装置における設定項目の概略を示す図である。
【図４】本発明の実施形態に係る画像処理装置における設定変更受付処理のフローチャートを示す図である。
【図５】本発明の実施形態に係る画像処理装置における操作パネル部入力受付処理のサブルーチンのフローチャートを示す図である。
【図６】本発明の実施形態に係る画像処理装置における操作パネル部の表示例を示す図である。
【図７】本発明の実施形態に係る画像処理装置における操作パネル部の表示例を示す図である。
【図８】本発明の実施形態に係る画像処理装置における操作パネル部の表示例を示す図である。
【図９】パーソナルコンピュータにおける設定変更禁止通知の表示例を示す図である。
【図１０】本発明の他の実施形態に係る画像処理装置における操作パネル部入力受付処理のサブルーチンのフローチャートを示す図である。
【図１１】本発明の他の実施形態に係る画像処理装置における操作パネル部入力受付処理のサブルーチンのフローチャートを示す図である。
【図１２】本発明の実施形態に係る画像処理装置における操作パネル部の表示例を示す図である。
【発明を実施するための形態】
【００１６】
以下、本発明の実施の形態を図面を参照しつつ説明する。本実施形態においては画像処
理装置として複合機を例にとり説明するが、本発明はこのような複合機に限らず、プリン
タ部やスキャナ部といった画像処理部と、装置状態の設定を行う操作パネル部とを有する
構成に適用可能なものである。
【００１７】
図１は本発明の実施形態に係る画像処理装置（複合機）及びその周辺のシステム構成を
示す図である。図１において、１０はＬＡＮ、ＷＡＮなどのネットワーク、２０は電話回
線、１００は複合機、１１０は複合機の主制御を行う制御部、１１１は装置の所定状態を
記憶する設定記憶部、１２０はファクシミリ文書の送受信を行うファクシミリ部、１３０
は記録媒体への印刷を行うプリンタ部、１４０は原稿の読み取りを行うスキャナ部、１５
０はユーザーとのインターフェイスとなる操作パネル部、１６０は通信部、２００、２０
０'、２００''はパーソナルコンピュータ（外部機器）をそれぞれ示している。なお、本
明細書においては、ファクシミリ部１２０、プリンタ部１３０、スキャナ部１４０、操作
パネル部１５０それぞれをデバイスなどと称することもある。
【００１８】
図１に示されるファクシミリ装置（複合機）周辺のシステムでは、クライアントなどの
パーソナルコンピュータ２００、２００'、２００''と複合機１００とがネットワーク１
０を介して接続される構成となっている。また、複合機１００のファクシミリ部１２０が
電話回線２０と接続されるような構成とされている。
【００１９】
複合機１００は、情報処理装置からなる複合機本体の主制御を行う制御部１１０と、ユ
ーザーの入力操作を受け付ける入出力装置である操作パネル部１５０と、原稿・画像をス
キャンしてカラーで読み込むスキャナ部１４０と、印刷用紙等に印刷を行うプリンタ部１
３０と、ファクシミリ送受信を行うファクシミリ部１２０とを備える。つまり、複合機１
００は、スキャナ機能、印刷機能、スキャナ機能と印刷機能を組み合わせたコピー機能及
びファクシミリ送受信機能を備えるものである。
【００２０】
複合機１００の情報処理機構は、いずれも例えば汎用的なコンピュータシステムにより
構成され、個々の構成要素または機能は、例えば、記憶手段に書き込まれたコンピュータ
プログラムを実行することにより実現される。
【００２１】
スキャナ部１４０は、原稿を載置可能な不図示の原稿台とこれを読み取る光学系からな
る。スキャナ部１４０の原稿台には、原稿台に載置した原稿のサイズを検知することがで
きる原稿サイズ検知センサが設けられている。また、複合機１００には、スキャナ部１４
０に自動的に連続的に原稿を送致する構成であるＡＤＦ（Ａｕｔｏｍａｔｉｃ  Ｄｏｃｕ
ｍｅｎｔ  Ｆｅｅｄｅｒ）を設けるようにしておいてもよい。
【００２２】
スキャナ部１４０によって読み取られた制御部１１０の不図示の記憶手段に一度取り込
まれる。操作パネル部１５０などからの指定によって制御部１１０は、スキャナ部１４０
で読み取られた原稿画像データを、そのまま、或いは設定された倍率でプリンタ部１３０
から紙出力したり（複合機１００のコピー機能）、ファクシミリ部１２０から電話回線を
通じて送信したり（複合機１００のファクシミリ機能）、通信部１６０、ネットワーク１
０を介して、パーソナルコンピュータ２００、２００'、２００''に向けて送信したり（
複合機１００のスキャナ機能）する。
【００２３】
コピー機能を利用するときの複合機１００のモードを「コピーモード」と定義し、ファ
クシミリ機能のうちファクシミリ送信機能を利用するときの複合機１００のモードを「フ
ァクシミリ送信モード」と定義し、スキャナ機能を利用するときの複合機１００のモード
を「スキャンモード」と定義する。
【００２４】
プリンタ部１３０は、記録用紙上に画像を形成するものであり、レーザーやＬＥＤライ
ンヘッドによって感光体上に潜像を形成する方式を採用した電子写真方式や、記録用紙上
に直接インクを射出する方式を採用したインクジェット方式などの周知のハードウエア構
成を用いることができる。制御部１１０は、操作パネル部１５０やパーソナルコンピュー
タ２００、２００’、２００’’からの指示に基づいて、プリンタ部１３０に所定の紙出
力を行わせるものである。すなわち、プリンタ部１３０は、スキャナ部１４０によって読
み取られた画像データやファクシミリ部２１０で受信されたファクシミリデータや、パー
ソナルコンピュータ２００、２００'、２００''上で動作するアプリケーションソフトウ
エアからのデータなどを紙出力するものである。
【００２５】
ファクシミリ部１２０は、電話回線２０と接続されていて、ファクシミリの送受信を行
うファクシミリ送受信部（不図示）と、ファクシミリ送受信部が送信するための送信デー
タを一時記憶する送信バッファ及びファクシミリ送受信部が受信した受信データを一時記
憶する受信バッファを構成するためのファクシミリ部用のメモリを備えている。
【００２６】
また、ファクシミリ部１２０は、電話回線２０からファクシミリ送信されてきたデータ
を受信すると、その受信データを一旦格納する。そして、格納された受信データは、制御
部１１０へ送られて、プリンタ部１３０で印刷される。ファクシミリ部１２０は、複合機
１００内の他の構成とは独立にファクシミリ送受信を行う。つまり、ファクシミリ部１２
０は、複合機１００から送信データを受け付けると、複合機１００とは独立にファクシミ
リ送信を行うし、電話回線２０からファクシミリデータが送信されてくれば、それを受信
する。
【００２７】
複合機１００のコピー機能は、ユーザーの操作パネル部１５０の操作によって制御部１
１０に設定される。操作パネル部１５０からは、コピー機能に係るコピー倍率の設定、原
稿画像サイズの設定、出力用紙のサイズの設定を行うことができ、制御部１１０はこれら
の設定に基づいて、複合機１００のコピー機能を実行する。複合機１００のコピー機能は
、スキャナ部１４０にて読み取った原稿の原稿画像データに、コピー倍率処理を施し、こ
れをプリンタ部１３０で指定されたサイズの用紙に紙出力する。
【００２８】
操作パネル部１５０のハードウエアは、操作に係わる表示を行うＬＣＤからなる表示部
１５１と、指などによる押圧で入力が行えるボタンスイッチ１５２、十字キー１５３とか
ら概略構成され、ユーザーは表示部１５１の表示を参照してこれらのボタンスイッチ１５
２、十字キー１５３を操作することで複合機１００の各種設定を行うことができるように
なっている。図２は本発明の実施形態に係る画像処理装置の操作パネル部のハードウエア
構成を示す図である。ボタンスイッチ１５２は、表示部１５１の最下段の表示事項に対す
る入力を行うものである。例えば、図２ではＦ１のボタンスイッチ１５２を押下すること
で、「用紙」に関する入力を行うことができる。また、十字キー１５３は、表示部１５１
中のカーソルの移動などを行うための４方向の入力キーと、入力事項の確定のために用い
るＯＫキーとから構成されている。
【００２９】
この操作パネル部１５０で行うことができるのは、複合機１００のファクシミリ機能、
プリンタ機能、コピー機能といった各種機能の選択や、装置の設定などである。ここで、
装置の設定変更についてより具体的に説明する。一般的には複合機１００には、給紙部と
して複数の用紙カセット（不図示）などが設けられており、この用紙カセットに異なるサ
イズの用紙をセットすることができたりする。また、同じサイズの用紙でも給紙する方向
を変えたりすることができる。装置の設定を行う、とは、例えば、プリント部１３０で用
いる用紙カセットや用紙サイズなどといった事項を設定することである。なお、本発明の
画像処理装置においては、装置の設定事項にはこれらに限らず種々のものが含まれる。図
３は本発明の実施形態に係る画像処理装置における設定項目の概略を示す図である。また
、このような設定事項は、制御部１１０の設定記憶部１１１に記憶情報として記憶される
ようになっている。
【００３０】
以上のような画像処理装置の設定の変更については、操作パネル部１５０からのユーザ
ー入力に伴い、制御部１１０に対してコマンドが発効され、設定記憶部１１１の記憶情報
が変更されるようになっている。また、このような操作パネル部１５０からのユーザー入
力とは別に、通信部１６０を介して、パーソナルコンピュータ２００、２００’、２００
’’から発効されるコマンドが制御部１１０に入力され、設定記憶部１１１の記憶情報が
変更されるようにもなっている。すなわち、設定記憶部１１１の記憶情報が変更は、操作
パネル部１５０から、又は、パーソナルコンピュータ２００、２００'、２００''から行
い得るようになっている。
【００３１】
従来の画像処理装置では、最後に設定記憶部１１１の変更を行った設定が反映される方
式であったため、画像処理装置の操作パネル部で設定を変更しても、パーソナルコンピュ
ータなどからその後に設定を変更されてしまうと、操作パネル部で設定変更を行ったユー
ザーがプリントしようとしてもその意図を反映した印刷を行うことができない、といった
事態が発生するなどの問題があったが、本実施形態では、操作パネル部１５０から設定記
憶部１１１の記憶情報を変更するコマンドを受け付けた後には、通信部１６０からのコマ
ンド（パーソナルコンピュータ２００、２００'、２００''からのコマンド）に基づく設
定記憶部１１１の記憶情報の変更を行わないようにする。このように構成されるために、
操作パネル部１５０で設定変更を行ったユーザーの意図が正確に反映された印刷等を実行
することが可能となる。
【００３２】
次に、以上のように構成される画像処理装置における制御処理についてより詳しく説明
する。図４は本発明の実施形態に係る画像処理装置における設定変更受付処理のフローチ
ャートを示す図である。図４において、ステップＳ１００で、設定変更受付処理が開始さ
れると、続いてステップＳ１０１に進み、通信部１６０（パーソナルコンピュータ２００
、２００'、２００''）からの入力コマンドの受付処理が実行される。
【００３３】
次のステップＳ１０２では、操作パネル部１５０からの入力コマンドの受付処理のサブ
ルーチンが実行される。このサブルーチンについて後に詳しく説明する。ステップＳ１０
３では、画像処理装置の不図示の電源がＯＦＦされたか否かが判定され、判定結果がＹＥ
Ｓであると、ステップＳ１０４に進み処理を終了し、ＮＯであるとステップＳ１０１に戻
りループする。
【００３４】
次に、操作パネル部１５０からの入力コマンドの受付処理のサブルーチンについてより
詳しく説明する。図５は本発明の実施形態に係る画像処理装置における操作パネル部入力
受付処理のサブルーチンのフローチャートを示す図である。図５において、ステップＳ２
００で、操作パネル部入力受付処理のサブルーチンがスタートすると、次にステップＳ２
０１では、操作パネル部１５０からのユーザーによる設定変更に関する入力操作があった
否かが判定される。ステップＳ２０１の判定がＮＯであればステップＳ２０７に進み、メ
インルーチンにリターンする。
【００３５】
ユーザーによる設定変更に関する入力操作の例を図６及び図７を参照して説明する。図
６は用紙のサイズの設定変更前の表示例を示しており、このような表示状態では装置はＢ
４の用紙を用いてプリントすることが示されている。これに対して、図７はユーザーの十
字キー１５３などの操作よって、用紙サイズがＡ４に設定される様子が示されている。ス
テップＳ２０１では、このようなユーザーによる設定変更に関する入力操作の有無が判定
される。
【００３６】
ステップＳ２０１の判定がＹＥＳであると、ステップＳ２０２に進む。このステップＳ
２０２では、操作パネル部１５０以外からのコマンドの入力を禁止する。より具体的には
、パーソナルコンピュータ２００、２００'、２００''（外部機器）からの通信部１６０
を介したコマンドの入力を受け付けないようにする。そして、操作パネル部１５０からの
ユーザー操作による入力コマンドのみを受け付けるようにする。
【００３７】
また、このステップＳ２０２では、パーソナルコンピュータ２００、２００'、２００'
'（外部機器）から設定変更に関する入力を受け付けない旨表示する。図８は本発明の実
施形態に係る画像処理装置における操作パネル部の表示例を示す図であり、このように「
ネットワーク上の外部機器からの設定変更を禁止します」などの表示がなされる。
【００３８】
ステップＳ２０３では、設定変更に関する入力操作があったときからの時間経過を計る
ためのタイマーを起動する。また、ステップＳ２０４では、通信部１６０に対して設定変
更禁止の通知を行うように依頼する。このような通知は、複合機１００にネットワーク接
続されるパーソナルコンピュータ２００、２００'、２００''（外部機器）に対してなさ
れるものであり、これを受信したパーソナルコンピュータ２００、２００'、２００''（
外部機器）側ではその表示装置（不図示）上に、例えば、図９に示すようなメッセージが
ポップアップ表示されるように構成される。図９はパーソナルコンピュータにおける設定
変更禁止通知の表示例を示す図である。なお、設定変更禁止通知の報知方法はこのような
ポップアップ表示に限定されるものではなく、パーソナルコンピュータ側で設定画面を更
新できないようにして、設定変更禁止通知に代えてもよい。
【００３９】
ステップＳ２０５では、タイマーのカウントに基づいて所定時間が経過したか否かが判
定される。ステップＳ２０５で所定時間が経過したものと判定されると、続いて、ステッ
プＳ２０６に進み、操作パネル部１５０以外からの設定変更禁止を解除し、ステップＳ２
０７に進み、元のルーチンにリターンする。
【００４０】
以上のように、操作パネル部１５０からの設定記憶部１１１の記憶情報を変更するコマ
ンドを受け付けた後、所定の時間が経過するまで通信部１６０からのコマンド（パーソナ
ルコンピュータ２００、２００'、２００''からのコマンド）に基づく設定記憶部１１１
の記憶情報の変更を行わないようにするので、操作パネル部１５０で設定変更を行ったユ
ーザーの意図が正確に反映された印刷等を実行することが可能となる。
【００４１】
次に、本発明の他の実施形態について説明する。他の実施形態は、操作パネル部１５０
からの入力コマンドの受付処理のサブルーチンが先の実施形態と異なるものであるので、
このサブルーチンについて説明する。
【００４２】
図１０は本発明の他の実施形態に係る画像処理装置における操作パネル部入力受付処理
のサブルーチンのフローチャートを示す図である。図１０において、ステップＳ３００で
、操作パネル部入力受付処理のサブルーチンがスタートすると、次にステップＳ３０１で
は、操作パネル部１５０からのユーザーによる設定変更に関する入力操作があった否かが
判定される。ステップＳ３０１の判定がＮＯであればステップＳ３０９に進み、メインル
ーチンにリターンする。
【００４３】
一方、ステップＳ３０１の判定がＹＥＳであると、ステップＳ３０２に進む。このステ
ップＳ３０２では、操作パネル部１５０以外からのコマンドの入力を禁止する。より具体
的には、パーソナルコンピュータ２００、２００'、２００''（外部機器）からの通信部
１６０を介したコマンドの入力を受け付けないようにする。そして、操作パネル部１５０
からのユーザー操作による入力コマンドのみを受け付けるようにする。また、このステッ
プ３０２では、パーソナルコンピュータ２００、２００'、２００''（外部機器）から設
定変更に関する入力を受け付けない旨表示する。
【００４４】
ステップＳ３０３では、設定変更に関する入力操作があったときからの時間経過を計る
ためのタイマーを起動する。また、ステップＳ３０４では、通信部１６０に対して設定変
更禁止の通知を行うように依頼する。このような通知は、複合機１００にネットワーク接
続されるパーソナルコンピュータ２００、２００'、２００''（外部機器）に対してなさ
れるものである。
【００４５】
ステップＳ３０５では制御部１１０に対して画像処理ジョブの実行状態を尋ねる。ステ
ップＳ３０６では、制御部１１０で所定ジョブ数が実行されたか否かが判定される。この
ような所定ジョブ数は、ユーザーが設定変更を行った後に画像処理装置に投入するものと
予想されるジョブの数である。この所定数については自然数の適当な数を予め設定するこ
とができる。
【００４６】
ステップＳ３０６における判定の結果がＹＥＳであるときには、ステップＳ３０７に進
み、操作パネル部１５０以外からの設定変更禁止を解除し、ステップＳ３０９に進み、元
のルーチンにリターンする。
【００４７】
また、ステップＳ３０６における判定の結果がＮＯであるときには、ステップＳ３０８
に進む。ステップＳ３０８では、タイマーのカウントに基づいて所定時間が経過したか否
かが判定される。ステップＳ３０８で所定時間が経過したものと判定されると、続いて、
ステップＳ３０７に進み、操作パネル部１５０以外からの設定変更禁止を解除し、ステッ
プＳ３０９に進み、元のルーチンにリターンする。
【００４８】
この実施形態では、基本的には所定ジョブ数が処理されたときに、設定変更禁止を解除
するものであるが、所定ジョブ数が処理されなかったときに、設定変更禁止を解除できな
いことを防止するために、タイマーカウントに基づく、設定変更禁止の解除がなされるよ
うになっている。
【００４９】
以上のように、操作パネル部１５０からの設定記憶部１１１の記憶情報を変更するコマ
ンドを受け付けた後、所定ジョブ数が処理される通信部１６０からのコマンド（パーソナ
ルコンピュータ２００、２００'、２００''からのコマンド）に基づく設定記憶部１１１
の記憶情報の変更を行わないようにするので、操作パネル部１５０で設定変更を行ったユ
ーザーの意図が正確に反映された印刷等を実行することが可能となる。
【００５０】
次に、本発明の他の実施形態について説明する。他の実施形態は、操作パネル部１５０
からの入力コマンドの受付処理のサブルーチンが先の実施形態と異なるものであるので、
このサブルーチンについて説明する。
【００５１】
図１１は本発明の他の実施形態に係る画像処理装置における操作パネル部入力受付処理
のサブルーチンのフローチャートを示す図である。図１１において、ステップＳ４００で
、操作パネル部入力受付処理のサブルーチンがスタートすると、次にステップＳ４０１で
は、操作パネル部１５０からのユーザーによる設定変更に関する入力操作があった否かが
判定される。ステップＳ４０１の判定がＮＯであればステップＳ４１１に進み、メインル
ーチンにリターンする。
【００５２】
一方、ステップＳ４０１の判定がＹＥＳであると、ステップＳ４０２に進む。このステ
ップＳ４０２では、操作パネル部１５０以外からのコマンドの入力を禁止する。より具体
的には、パーソナルコンピュータ２００、２００'、２００''（外部機器）からの通信部
１６０を介したコマンドの入力を受け付けないようにする。そして、操作パネル部１５０
からのユーザー操作による入力コマンドのみを受け付けるようにする。また、このステッ
プ３０２では、パーソナルコンピュータ２００、２００'、２００''（外部機器）から設
定変更に関する入力を受け付けない旨表示する。
【００５３】
ステップＳ４０３では、設定変更に関する入力操作があったときからの時間経過を計る
ためのタイマーを起動する。また、ステップＳ４０４では、通信部１６０に対して設定変
更禁止の通知を行うように依頼する。このような通知は、複合機１００にネットワーク接
続されるパーソナルコンピュータ２００、２００'、２００''（外部機器）に対してなさ
れるものである。
【００５４】
ステップＳ４０５では、投入予定ジョブ数をユーザーに尋ねる処理を行う。より具体的
には、図１２に示すような表示画面（「この設定に基づく印刷ジョブの数を入力して下さ
い。」）によって、ユーザーに投入予定ジョブ数の入力を促す。
【００５５】
ステップＳ４０６では、ユーザーの入力に基づいて、投入ジョブ数を設定する。
【００５６】
ステップＳ４０７では制御部１１０に対して画像処理ジョブの実行状態を尋ねる。ステ
ップＳ４０８では、ユーザーによって設定されたジョブ数が実行されたか否かが判定され
る。
【００５７】
ステップＳ４０８における判定の結果がＹＥＳであるときには、ステップＳ４０９に進
み、操作パネル部１５０以外からの設定変更禁止を解除し、ステップＳ４１１に進み、元
のルーチンにリターンする。
【００５８】
また、ステップＳ４０８における判定の結果がＮＯであるときには、ステップＳ４１０
に進む。ステップＳ４１０では、タイマーのカウントに基づいて所定時間が経過したか否
かが判定される。ステップＳ４１０で所定時間が経過したものと判定されると、続いて、
ステップＳ４０９に進み、操作パネル部１５０以外からの設定変更禁止を解除し、ステッ
プＳ４１１に進み、元のルーチンにリターンする。
【００５９】
この実施形態では、基本的には、ユーザーによって設定されたジョブ数が処理されたと
きに、設定変更禁止を解除するものであるが、設定ジョブ数が処理されなかったときに、
設定変更禁止を解除できないことを防止するために、タイマーカウントに基づく、設定変
更禁止の解除がなされるようになっている。
【００６０】
以上のように、操作パネル部１５０からの設定記憶部１１１の記憶情報を変更するコマ
ンドを受け付けた後、ユーザーによって設定されたジョブ数が処理される通信部１６０か
らのコマンド（パーソナルコンピュータ２００、２００'、２００''からのコマンド）に
基づく設定記憶部１１１の記憶情報の変更を行わないようにするので、操作パネル部１５
０で設定変更を行ったユーザーの意図が正確に反映された印刷等を実行することが可能と
なる。
【００６１】
なお、本明細書においては、種々の実施の形態について説明したが、それぞれの実施の
形態の構成を適宜組み合わせて構成された実施形態も本発明の範疇となるものである。
【符号の説明】
【００６２】
１０・・・ネットワーク、２０・・・電話回線、１００・・・複合機、１１０・・・制御
部、１１１・・・設定記憶部、１２０・・・ファクシミリ部、１３０・・・プリンタ部、
１４０・・・スキャナ部、１５０・・・操作パネル部、１５１・・・表示部、１５２・・
・ボタンスイッチ、１５３・・・十字キー、１６０・・・通信部、２００、２００'、２
００''・・・パーソナルコンピュータ（外部機器）
【図１】
2010184460.tif 000003
【図２】
2010184460.tif 000004
【図３】
2010184460.tif 000005
【図４】
2010184460.tif 000006
【図５】
2010184460.tif 000007
【図６】
2010184460.tif 000008
【図７】
2010184460.tif 000009
【図８】
2010184460.tif 000010
【図９】
2010184460.tif 000011
【図１０】
2010184460.tif 000012
【図１１】
2010184460.tif 000013
【図１２】
2010184460.tif 000014